(57)【要約】【課題】クランプ処理を行う際にクランプ期間が画像有効期間にかかることを抑制する。【解決手段】入力アナログ画像信号の信号パラメータ値を測定し、記憶手段に記憶されている所定のフォーマットのアナログ画像信号の信号パラメータ値と比較して入力アナログ画像信号のフォーマットを特定する特定手段と、入力アナログ画像信号の画像有効期間の開始位置を検出し、検出される開始位置に基づき入力アナログ画像信号の水平バックポーチ期間を検出する検出手段と、検出した水平バックポーチ期間と前記特定したフォーマットに規定されている水平バックポーチ期間のうち短い方の水平バックポーチ期間において入力アナログ画像信号に対しクランプ処理を行う手段と、前記クランプ処理により決定される基準レベルに基づき入力アナログ画像信号をデジタル画像信号に変換する変換手段と、を備える画像処理装置。【選択図】図２
2015125294.tif 000002
【特許請求の範囲】
【請求項１】
入力アナログ画像信号の信号パラメータ値を測定し、記憶手段に記憶されている所定のフォーマットのアナログ画像信号の信号パラメータ値と比較して前記入力アナログ画像信号のフォーマットを特定する特定手段と、
前記入力アナログ画像信号の画像有効期間の開始位置を検出し、検出される開始位置に基づき前記入力アナログ画像信号の水平バックポーチ期間を検出する検出手段と、
前記検出した水平バックポーチ期間と前記特定したフォーマットに規定されている水平バックポーチ期間のうち短い方の水平バックポーチ期間において前記入力アナログ画像信号に対しクランプ処理を行う処理手段と、
前記クランプ処理により決定される基準レベルに基づき前記入力アナログ画像信号をデジタル画像信号に変換する変換手段と、
を備える画像処理装置。
【請求項２】
前記信号パラメータ値は、水平同期周波数及び垂直総ライン数である請求項１に記載の画像処理装置。
【請求項３】
前記特定手段は、前記所定のフォーマットのうち、その水平同期周波数と前記測定される水平同期周波数との差分が閾値以内であり、かつ、その垂直総ライン数が前記測定される垂直総ライン数と等しいフォーマットを、前記入力アナログ画像信号のフォーマットとして特定する請求項２に記載の画像処理装置。
【請求項４】
前記処理手段は、アナログ画像信号の入力を検出したときに前記クランプ処理を行う請求項１〜３のいずれか１項に記載の画像処理装置。
【請求項５】
前記処理手段は、入力アナログ画像信号のフォーマットに変化があったときに前記クランプ処理を行う請求項１〜３のいずれか１項に記載の画像処理装置。
【請求項６】
前記検出手段は、定期的に画像有効期間の開始位置の検出を行い、
前記処理手段は、前記検出手段により検出される画像有効期間の開始位置に変化があったときに前記クランプ処理を行う請求項１〜３のいずれか１項に記載の画像処理装置。
【請求項７】
請求項１〜６のいずれか１項に記載の前記画像処理装置と、
前記変換手段により変換されたデジタル画像信号に基づき画像を表示する表示手段と、を備える画像表示装置。
【請求項８】
入力アナログ画像信号の信号パラメータ値を測定し、記憶手段に記憶されている所定のフォーマットのアナログ画像信号の信号パラメータ値と比較して前記入力アナログ画像信号のフォーマットを特定する特定工程と、
前記入力アナログ画像信号の画像有効期間の開始位置を検出し、検出される開始位置に基づき前記入力アナログ画像信号の水平バックポーチ期間を検出する検出工程と、
前記検出した水平バックポーチ期間と前記特定したフォーマットに規定されている水平バックポーチ期間のうち短い方の水平バックポーチ期間において前記入力アナログ画像信号に対しクランプ処理を行う処理工程と、
前記クランプ処理により決定される基準レベルに基づき前記入力アナログ画像信号をデジタル画像信号に変換する変換工程と、
を備える画像処理装置の制御方法。
【請求項９】
前記信号パラメータ値は、水平同期周波数及び垂直総ライン数である請求項８に記載の画像処理装置の制御方法。
【請求項１０】
前記特定工程では、前記所定のフォーマットのうち、その水平同期周波数と前記測定される水平同期周波数との差分が閾値以内であり、かつ、その垂直総ライン数が前記測定される垂直総ライン数と等しいフォーマットを、前記入力アナログ画像信号のフォーマットとして特定する請求項９に記載の画像処理装置の制御方法。
【請求項１１】
前記処理工程では、アナログ画像信号の入力を検出したときに前記クランプ処理を行う請求項８〜１０のいずれか１項に記載の画像処理装置の制御方法。
【請求項１２】
前記処理工程では、入力アナログ画像信号のフォーマットに変化があったときに前記クランプ処理を行う請求項８〜１０のいずれか１項に記載の画像処理装置の制御方法。
【請求項１３】
前記検出工程では、定期的に画像有効期間の開始位置の検出を行い、
前記処理工程では、前記検出工程により検出される画像有効期間の開始位置に変化があったときに前記クランプ処理を行う請求項８〜１０のいずれか１項に記載の画像処理装置の制御方法。
【発明の詳細な説明】
【技術分野】
【０００１】
本発明は画像表示装置、画像処理装置、及びその制御方法に関するものである。
【背景技術】
【０００２】
液晶表示装置等の表示装置は、ＰＣ等の画像出力装置から出力されるアナログ画像信号に対し、Ａ／Ｄ変換によりデジタル画像信号変換した信号を用いて例えば液晶パネル等の表示手段を駆動する。ＰＣ等の画像出力装置から出力されるアナログ画像信号には多種のフォーマットが存在する。そのため、表示装置において、同期信号のタイミングや画像の有効期間に基づきフォーマットの推定を行い、推定結果に基づいてＡ／Ｄ変換及び表示が行われる。
【０００３】
Ａ／Ｄ変換を行う際、画像信号の基準レベル（黒レベル、ペデスタルレベル）を決定するために、所定期間の信号レベル（電位）を測定し、その平均値を基準レベルとするクランプ処理が行われる。クランプ処理を行う期間として、画像信号のうち、画像の無いブランキング期間、例えば水平バックポーチ期間が利用される。クランプ期間の信号にノイズが重畳することも考慮し、ノイズの影響が少なくなるように、クランプ期間は長いことが望ましい。
【０００４】
クランプ期間の決定方法として、入力された画像信号が特定のフォーマットの信号であると想定し、そのフォーマットで定められた水平バックポーチ期間をクランプ期間とする方法がある。この方法は、表示装置がフォーマット情報を保持しているような一般的なフォーマットの画像信号が入力される場合は有効である。しかし、一般的な規格から外れたフォーマットの画像信号が入力された場合、バックポーチ期間が想定と異なるケースが考えられる。想定の水平バックポーチ期間よりも入力信号の水平バックポーチ期間が短い場合、クランプ期間が有効期間にかかってしまう。有効期間では信号レベルが基準レベルを超える場合があるため、クランプ期間に測定される信号レベルの平均値に基づき基準レベルを決定すると、適切な基準レベルにならない可能性がある。この場合、Ａ／Ｄ変換により得られるデジタル画像信号のレンジが狭くなり、黒潰れ・黒浮きが生じる場合がある。
【０００５】
これに対し、特許文献１では画像信号の有効期間の開始位置を検出し、その検出結果に基づいてクランプ期間を決定する方法が開示されている。
【先行技術文献】
【特許文献】
【０００６】
【特許文献１】特開２００２−２３７２６号公報
【発明の概要】
【発明が解決しようとする課題】
【０００７】
特許文献１では、入力された画像信号についてペデスタルレベル以上の信号を受けたタイミングを有効期間の開始位置（すなわち水平バックポーチ期間の終了位置）として検出している。しかしこの方法では、有効期間の開始位置がペデスタルレベルとなる画像信号（特定の位置に黒領域がある画像の信号）が入力されると、フォーマットで規定される有効期間の開始位置より後の位置が有効期間の開始位置として検出される。この検出結果に基づいてクランプ期間が設定されると、クランプ期間が実際の水平バックポーチ期間より長くなり、有効期間にかかってしまう。そのため、有効期間の開始位置がペデスタルレベル以上となる画像信号に切り替わったときに、ペデスタルレベル以上の信号がクランプ処理に用いられることになる。この場合、上述のケースと同様、クランプ期間に測定される
信号レベルの平均値に基づき基準レベルを決定すると、適切な基準レベルにならない。そのため、Ａ／Ｄ変換により得られるデジタル画像信号に黒潰れや黒浮きといった画質劣化が生じる可能性がある。
【０００８】
本発明は、このような課題に鑑みてなされたものであり、Ａ／Ｄ変換を行うためにアナログ画像信号の水平バックポーチ期間においてクランプ処理を行う際にクランプ期間が画像有効期間にかかることを抑制することを目的とする。
【課題を解決するための手段】
【０００９】
本発明は、入力アナログ画像信号の信号パラメータ値を測定し、記憶手段に記憶されている所定のフォーマットのアナログ画像信号の信号パラメータ値と比較して前記入力アナログ画像信号のフォーマットを特定する特定手段と、
前記入力アナログ画像信号の画像有効期間の開始位置を検出し、検出される開始位置に基づき前記入力アナログ画像信号の水平バックポーチ期間を検出する検出手段と、
前記検出した水平バックポーチ期間と前記特定したフォーマットに規定されている水平バックポーチ期間のうち短い方の水平バックポーチ期間において前記入力アナログ画像信号に対しクランプ処理を行う処理手段と、
前記クランプ処理により決定される基準レベルに基づき前記入力アナログ画像信号をデジタル画像信号に変換する変換手段と、
を備える画像処理装置である。
【００１０】
本発明は、入力アナログ画像信号の信号パラメータ値を測定し、記憶手段に記憶されている所定のフォーマットのアナログ画像信号の信号パラメータ値と比較して前記入力アナログ画像信号のフォーマットを特定する特定工程と、
前記入力アナログ画像信号の画像有効期間の開始位置を検出し、検出される開始位置に基づき前記入力アナログ画像信号の水平バックポーチ期間を検出する検出工程と、
前記検出した水平バックポーチ期間と前記特定したフォーマットに規定されている水平バックポーチ期間のうち短い方の水平バックポーチ期間において前記入力アナログ画像信号に対しクランプ処理を行う処理工程と、
前記クランプ処理により決定される基準レベルに基づき前記入力アナログ画像信号をデジタル画像信号に変換する変換工程と、
を備える画像処理装置の制御方法である。
【発明の効果】
【００１１】
本発明によれば、Ａ／Ｄ変換を行うためにアナログ画像信号の水平バックポーチ期間においてクランプ処理を行う際にクランプ期間が画像有効期間にかかることを抑制することができる。
【図面の簡単な説明】
【００１２】
【図１】プロジェクタの内部構成を示す図。
【図２】実施例１におけるクランプ期間決定フローを示す図。
【図３】対応フォーマットテーブルの例を示す図。
【図４】信号フォーマット特定フローを示す図。
【図５】１フレーム内の画像例を示す図。
【発明を実施するための形態】
【００１３】
以下に、本発明を実施例について詳細に説明する。なお、以下に説明する実施例は、本発明を実現するための一例であり、本発明が適用される装置の構成や各種条件によって適宜変更することができる、本発明は以下の実施例に限定されるものではない。また、後述する各実施例の一部を適宜組み合わせて本発明を実施することもできる。
【００１４】
（実施例１）
実施例１では、液晶パネルを内蔵したプロジェクタに本発明を適用した例を説明する。＜プロジェクタの概要説明＞
図１は、実施例１のプロジェクタ１００の主要な構成を示した図である。
制御部１０１は、プロジェクタ１００の各ブロックを制御する。制御部１０１は各ブロックと図１に示す通りバス接続されており、バスを介して各ブロックへアクセスし、制御指示やデータの送受信等を行う。
操作部１０２は、ユーザからの操作を受け付ける。
電源部１０３は、プロジェクタ１００の各ブロックへの電源供給を制御する。
液晶部１０４は、１枚の液晶パネル又は３枚の液晶パネルで構成され、この液晶パネル上に画像が形成される。
液晶駆動部１０５は、後述する画像処理部１１７から入力される画像信号に基づいて、液晶部１０４の液晶パネルに画像を形成させる。
光源１０６は、液晶部１０４に光を照射する。
【００１５】
投影光学系１０７は、光源１０６から発せられた光が液晶部１０４に照射され、液晶部１０４を透過することにより得られた光学像を、不図示のスクリーンに投影する。
光源制御部１０８は、光源１０６の光量等を制御する。
光学系制御部１０９は、投影光学系１０７のズームレンズやフォーカスレンズ等の動作を制御し、ズーム倍率や焦点調整等を行う。
アナログ入力部１１０は、ＰＣやＤＶＤプレイヤー、テレビチューナー等から出力されるアナログ画像信号を受け付ける。アナログ入力部１１０は、例えばＲＧＢ端子やＳ端子等からなる。
【００１６】
Ａ／Ｄ変換部１１１は、アナログ入力部１１０から入力されるアナログ画像信号をデジタル画像信号に変換する。Ａ／Ｄ変換の方式については、アナログ入力電圧を一定時間積分する二重積分型の他、コンパレータを使用する並列比較型、Ｄ／Ａ変換値と比較する逐次比較型等を例示できるが、本発明の実施において方式は限定されない。Ａ／Ｄ変換部１１１はさらに、入力されたアナログ画像信号の信号パラメータ値を測定する。例えばＡ／Ｄ変換部１１１は信号パラメータ値として同期信号の周波数、走査ライン数、信号極性等を測定する。
【００１７】
Ａ／Ｄ変換部１１１はさらに、Ａ／Ｄ変換する際の基準レベルを決定するため、アナログ画像信号のペデスタル期間（水平バックポーチ期間）でクランプ処理を行う。具体的には、クランプ処理では、水平バックポーチ期間において信号レベルを測定し、測定値の平均値を求め、それを基準レベルとする。Ａ／Ｄ変換部１１１のクランプ処理機能は、クランプパルス生成回路及びクランプ回路で実現されており、またクランプ回路は、加算回路及び平均値回路で構成される（不図示）。クランプパルス生成回路は、制御部１０１の指示に基づき、クランプ回路へクランプパルスを発生させる。クランプ回路は、クランプパルスがハイレベルの期間（例えば３２クロック期間）、受信したアナログ画像信号について加算回路で加算を行う。クランプ回路は、さらに加算結果を平均値回路へ出力し加算結果を平均化する。ここで３２クロック加算を行っているので、加算結果を５ビットシフト（１／３２）することで平均化する。Ａ／Ｄ変換部１１１は、この平均化された結果を基準レベルとして毎ラインＡ／Ｄ変換を行う。
【００１８】
デジタル入力部１１２は、ＰＣやＤＶＤプレイヤー等からデジタル画像信号を受け付ける。デジタル入力部１１２は、例えばＨＤＭＩ（登録商標）端子等からなる。ＨＤＭＩ（登録商標）端子の場合には、外部から制御信号も同時に送信されてくる場合があり、これにより、画像の制御等が行われることもある。デジタル入力部１１２から入力された画像
信号は直接、画像処理部１１７に送信される。
ＵＳＢインターフェース１１３は、画像データや各種の情報データが格納されたファイルを外部機器から受け取り、又は外部機器に書き出すインターフェースである。ＵＳＢインターフェース１１３には、ポインティングデバイス、キーボード、フラッシュメモリ等が接続される。
【００１９】
カードインタフェース１１４は、画像データや各種の情報データが格納されたファイルをカード型の記録媒体に対し読み書きするインターフェースであり、ＳＤカードやコンパクトフラッシュ（登録商標）等が挿入可能である。カードインタフェース１１４より入力されたドキュメントファイルは、ファイル再生部１３２により再生される。ファイル再生部１３２は、ドキュメントファイルから、ユーザに提示するための画像信号を生成して、画像処理部１１７に出力する。
【００２０】
通信部１１５は、イントラネットやインターネットから、画像データや各種の情報データが格納されたファイルや制御信号等を送受信するインターフェースであり、例えば、有線ＬＡＮや無線ＬＡＮ等で構成されている。
内部メモリ１１６は、画像データや各種の情報データが格納されたファイルを保存する記憶装置であり、半導体メモリやハードディスク等で構成される。
【００２１】
画像処理部１１７は、これらの各種インターフェースやファイル再生部１３２から入力される画像信号や制御部１０１から入力される画像信号に対し、解析を行ったり、液晶部１０４で表示するのに適した補正を行ったりする。例えば、画像処理部１１７は、画像信号に対して、画素数を液晶パネルの画素数に合わせて変換したり、フレーム数（フレームレート）を変換したりする。液晶パネルは、液晶にかける電圧の方向を交互に入れ替えて画像表示を行う交流駆動を行う。この駆動方法は、液晶にかける電圧の方向が正方向でも逆方向でも液晶パネルが画像を形成できる性質を利用したものである。この駆動方法では、液晶駆動部１０５には、正方向用の画像と逆方向用の画像とを入力する必要があるため、画像信号に対しフレーム数を倍にする処理が行われる。
【００２２】
画像処理部１１７は、Ａ／Ｄ変換部１１１から入力されるデジタル画像信号に対し各種解析を行うことも可能である。例えば、アナログ入力部１１０へ入力されたアナログ画像信号に、表示開始位置を示すＤＥ（Data Enable）信号が存在しない場合がある。このよ
うな場合に、画像処理部１１７は、水平／垂直同期信号と画像信号に基づく解析により表示開始位置を測定する。制御部１０１は、この解析結果に基づいて画像処理やＡ／Ｄ変換部１１１によるＡ／Ｄ変換に関わる制御を行う。
【００２３】
画像処理部１１７は、キーストーン補正を行う。キーストーン補正では、例えばスクリーンに対し投影光学系１０７が正対していない場合に投影画像に生じる台形状の歪みを補正するように画像に対し形状変形を行う。キーストーン補正では、液晶パネルに表示させる画像の水平方向及び／又は垂直方向に拡大又は縮小を行う。これにより、投影光学系１０７とスクリーンとの位置関係により投影画像に生じる台形状の歪みと、形状変形補正により液晶パネルに形成される画像に生じる歪みと、が相殺され、スクリーンに投影される画像を正常なアスペクト比の画像に近づけることができる。キーストーン補正は、後述する傾きセンサ１１８により得られた傾き角に基づいて自動的に行っても良いし、ユーザが操作部１０２等を操作することにより手動で行っても良い。
【００２４】
傾きセンサ１１８は、プロジェクタ１００の傾きを検出する。
タイマ１１９は、プロジェクタ１００の動作時間や各ブロックの動作時間等を検出する。
温度計１２０は、プロジェクタ１００の光源１０６の温度、液晶部１０４の温度、外気
温等を計測する。
赤外線受信部１２１、１２２は、プロジェクタ１００を操作するリモコンやその他の機器からの赤外線信号を受信し、受信した赤外線信号に対応する信号を制御部１０１に送る。実施例１では赤外線受信部は複数設置される。例えば、赤外線受信部１２２はプロジェクタ１００の前方（投影光学系１０７が設けられている方向）に設置され、赤外線受信部１２１はプロジェクタ１００の後方に設置される。
【００２５】
焦点検出部１２３は、プロジェクタ１００と不図示のスクリーンとの距離を検出し、フォーカスを合わせる距離を検出するである。
撮像部１２４は、不図示のスクリーンの方向を撮像する。
スクリーン測光部１２５は、スクリーンにより反射される光の光量や輝度を計測する。
光源測光部１２６は、光源１０６から発せられる光の光量や輝度を計測する。
表示部１３３は、プロジェクタ１００本体に配置され、プロジェクタ１００の状態や警告等を表示する。
表示制御部１２８は、表示部１３３を制御する。
バッテリ１２９は、プロジェクタ１００本体を外部電源が無い環境で使用するとき等にプロジェクタ１００に電力を供給する。
【００２６】
電源入力部１３０は、外部からの交流電力を受け入れ、所定の電圧に整流して電源部１０３に供給する。
冷却部１３１は、プロジェクタ１００内の熱を外部に放出する等によりプロジェクタ１００を冷却する装置であり、例えば、ヒートシンクとファンにより構成される。
ＲＡＭ１３４は、内部メモリ１１６に格納されているプログラムの展開や投影画像のフレームメモリ等に使用する。
【００２７】
＜プロジェクタの通常動作の説明＞
ここで、プロジェクタ１００の通常の動作について説明する。
実施例１のプロジェクタ１００の制御部１０１は、操作部１０２により電源ＯＮの指示がなされると、電源部１０３に各ブロックに電源を供給するよう指示し、各ブロックを待機状態にする。電源が投入された後、制御部１０１は、光源制御部１０８に光源１０６からの発光を開始するよう指示する。次に、制御部１０１は、焦点検出部１２３により得られた合焦距離の情報等から、投影光学系１０７を調整するよう光学系制御部１０９に指示する。光学系制御部１０９は、投影光学系１０７のズームレンズやフォーカスレンズを動作させてスクリーン上に投影光が結像するよう制御する。以上で、投影の準備が整う。
【００２８】
次に、例えば、デジタル入力部１１２に入力された画像信号に対し、画像処理部１１７により、液晶部１０４に適した解像度への変換、ガンマ補正、輝度ムラ対策用補正、キーストーン補正等が行われる。画像処理部１１７により補正された画像信号に基づき、液晶駆動部１０５により液晶部１０４が駆動され、液晶パネルに画像が形成される。光源１０６から発せられた光が液晶部１０４を透過することにより、液晶部１０４の液晶パネルに形成された画像が投影光学系１０７により不図示のスクリーンに投影され、スクリーン上に画像が表示される。
【００２９】
投影中は、制御部１０１は、光源１０６等の温度を温度計１２０により検出し、例えば、光源１０６の温度が４０度以上になったときに、冷却部１３１を動作させて冷却する。
操作部１０２により電源ＯＦＦの指示がなされると、制御部１０１は、各ブロックに終了処理を行うよう指示する。電源供給停止の準備が整うと、電源部１０３は各ブロックへの電源供給を順次停止する。冷却部１３１は、各ブロックへの電源供給が停止された後しばらく動作し、プロジェクタ１００を冷却する。
ここでは、デジタル入力部１１２から入力された画像信号に基づく画像を表示する場合
について説明したが、上記各種インターフェースから入力された画像信号や画像データを表示する場合にも同様の処理を行う。
【００３０】
＜クランプ期間決定処理の説明＞
以下図２〜図５に基づき、実施例１におけるＡ／Ｄ変換時のクランプ期間決定処理について説明する。
図２は実施例１におけるクランプ期間決定処理を表すフロー図である。クランプ期間決定処理の開始トリガは、アナログ入力部１１０へのアナログ画像信号入力の検出や、アナログ入力部１１０に入力しているアナログ画像信号の信号タイミング（信号パラメータ値）の変化等である。信号タイミングの変化は、例えばアナログ画像信号を出力する画像信号出力装置において出力解像度設定が変更された場合に生じる。ただし、クランプ期間決定処理の開始トリガはこれらに限定されるものではない。
【００３１】
アナログ入力部１１０からアナログ画像信号が入力されたことがＡ／Ｄ変換部１１１により検出されると、Ｓ１０１にて、制御部１０１は、信号フォーマット特定処理を行う。制御部１０１は、Ａ／Ｄ変換部１１１から割り込み通知にてアナログ画像信号の入力が検知されたことを通知される。或いは、制御部１０１は、Ａ／Ｄ変換部１１１へ同期信号の入力有無をポーリングすることで、アナログ画像信号の入力が検出されたことを把握する。ただし、制御部１０１がアナログ画像信号の入力が検出されたことを把握する方法はこれらに限定されるものではない。
【００３２】
図３、図４を用いて信号フォーマット特定処理について説明する。
図３は実施例１におけるプロジェクタ１００が対応可能なアナログ画像信号の所定のフォーマットの信号パラメータ値の情報を格納したテーブルである。このテーブルは内部メモリ１１６に保持されており、プロジェクタ１００起動時に制御部１０１の指示に基づきＲＡＭ１３４へ展開される。テーブルはフォーマット毎に、解像度２０１、走査方式２０２、水平同期周波数２０３、垂直同期周波数２０４、水平総ドット数２０５、垂直総ライン数２０６、水平同期信号幅２０７、水平バックポーチ期間２０８、量子化クロック２０９の情報を有する。図３に示すように、実施例１のプロジェクタ１００は５種のフォーマットに対応しているとする。
【００３３】
図４を用いて信号フォーマット特定処理のフローについて説明する。
Ｓ２０１にて、制御部１０１は、Ａ／Ｄ変換部１１１が測定した入力アナログ画像信号の信号パラメータ値を取得し、ＲＡＭ１３４へロードする。制御部１０１が取得する信号パラメータ値は、水平同期周波数（MEAS_hFreq）及び垂直総ライン数（MEAS_vTotal））
であるとする。ただし、制御部１０１が取得する信号パラメータ値はこれに限らない。
【００３４】
Ｓ２０２乃至Ｓ２０３にて、制御部１０１は、ＲＡＭ１３４へロードした信号パラメータ値と一致するフォーマットがテーブル内に存在するか否か照合処理を行う。制御部１０１は、フォーマットテーブルの水平同期周波数及び垂直総ライン数と、Ａ／Ｄ変換部１１１から取得した水平同期周波数（MEAS_hFreq）及び垂直総ライン数（MEAS_vTotal）と、
を比較し、一致条件を満たすフォーマットを検索する。
【００３５】
一致条件は、水平同期周波数については、入力信号の水平同期周波数（MEAS_hFreq）とフォーマットテーブルの水平同期周波数２０３（TBL_hFreq）との差分が所定の閾値以内
であることである。ここでは、閾値を０．５（ＫＨｚ）とする。垂直総ライン数については、入力信号の垂直総ライン数（MEAS_vTotal）とフォーマットテーブルの垂直総ライン
数２０６（TBL_vTotal）とが等しいこととする。制御部１０１は、取得した信号パラメータ値に対し、水平同期周波数及び垂直総ライン数の両方が一致条件を満たすフォーマットがテーブルにあるか照合処理を行う。
【００３６】
例えば、Ａ／Ｄ変換部１１１により測定されたアナログ画像信号の水平同期周波数（MEAS_hFreq）が７４．０３８（ＫＨｚ）、垂直総ライン数（MEAS_vTotal）が１２３５（Ｌ
ｉｎｅ）であったとする。制御部１０１はこれらの信号パラメータ値をＡ／Ｄ変換部１１１から取得してＲＡＭ１３４へロードし、プロジェクタ１００が内部に保持しているフォーマットテーブルとの比較照合処理を行う（Ｓ２０２乃至Ｓ２０３）。上記の例では、制御部１０１は、フォーマットテーブルから解像度１９２０×１２００のフォーマットを入力信号に合致するフォーマットとして特定し（Ｓ２０４）、Ｓ１０１の信号フォーマット特定処理を終了する。
【００３７】
なお、実施例１では水平同期周波数及び垂直総ライン数に基づいてフォーマットを特定する例を説明したが、入力されるアナログ画像信号から測定可能な信号パラメータ値であればこれに限られない。例えば、垂直同期周波数や垂直・水平有効期間等を用いてフォーマットを特定しても良い。
【００３８】
次にＳ１０２にてアナログ画像信号の水平有効期間開始位置（画像有効期間の開始位置）、すなわち水平バックポーチ期間の終了位置の測定を行う。水平有効期間開始位置の測定は、画像処理部１１７により行われる。図５を用いて１フレームにおける有効期間の測定方法について説明する。
【００３９】
図５は７Ｐｉｘｅｌ×７Ｌｉｎｅの画像を示す図である。白抜きの画素は画像として検出可能な有効画素３０１を示し、その他は画像として検出できない黒画素である基準レベル画素３０２を示す。有効画素は、Ａ／Ｄ変換部１１１によりＡ／Ｄ変換されたデジタル画像信号において黒以外の画素である。すなわち、例えばＡ／Ｄ変換のレンジが０〜２５５である場合、デジタル画像信号のＲＧＢ値のいずれかが０以外の値である画素である。有効画素は、画像信号が入力されたことを画像処理部１１７が検出可能である。
画像処理部１１７は、垂直同期信号３０３の入力と水平同期信号３０４の入力を検出すると、量子化クロック３０５と水平同期信号３０４の入力回数のカウントを開始する。
【００４０】
画像処理部１１７は、量子化クロック３０５が入力されたタイミングで、Ａ／Ｄ変換部１１１によりＡ／Ｄ変換されたデジタル画像信号を測定する動作に入る。画像処理部１１７は、有効画素３０１を検出した場合、その時の量子化クロック３０５のカウント値を水平方向の画像信号の開始位置とする。また、画像処理部１１７は、水平同期信号３０４のカウント値を垂直方向の画像信号の開始位置とする。画像処理部１１７は、水平方向及び垂直方向の画像信号の開始位置の情報を画像処理部１１７の内部に備わるレジスタに保持する。レジスタへ情報を保持する動作は、水平方向と垂直方向のそれぞれについて、最初に画像信号の有効画素を検出した時のみ行われるものとする。画像処理部１１７は、有効画素を検出すると、水平同期信号３０４の入力の検出により開始した量子化クロックのカウントをクリアする。画像処理部１１７は、次の垂直同期信号３０３の入力を検出するまで、水平有効期間の開始位置の測定を繰り返す。
【００４１】
画像処理部１１７は、次の垂直同期信号３０３の入力を検出すると、その時点までカウントした量子化クロックと水平同期信号の最大値を、それぞれ水平方向と垂直方向の画像信号（有効期間）の終了位置として画像処理部１１７内部に備わるレジスタに保持する。
画像処理部１１７は、以上の動作を垂直同期信号３０３が入力される毎に行うことで、毎フレームの画像信号の有効期間の開始位置と終了位置の検出を行う。これにより、画像処理部１１７は、水平有効期間開始位置、すなわち水平バックポーチ期間を測定する。
【００４２】
以上の測定処理の後、制御部１０１は、画像処理部１１７に保持されている水平有効期間開始位置（MEAS_hStart）を読み出し、この値をＲＡＭ１３４へロードする。
次にＳ１０３において、制御部１０１は、Ｓ１０１にて特定したフォーマットに規定されている水平バックポーチ期間２０８（TBL_hStart）をＲＡＭ１３４へロードする。
Ｓ１０４において、制御部１０１は、測定した水平有効期間開始位置（MEAS_hStart）
、すなわち入力信号の水平バックポーチ期間と、特定したフォーマットに対応する水平バックポーチ期間２０８（TBL_hStart）と、を比較する。
【００４３】
Ｓ１０４において、MEAS_hStartがTBL_hStartを超える値であった場合、制御部１０１
はＳ１０５へ進み、クランプ期間をTBL_hStart以内に収まる範囲に設定する。
Ｓ１０４において、MEAS_hStartがTBL_hStart以下の値であった場合、制御部１０１は
Ｓ１０６へ進み、クランプ期間をMEAS_hStart以内に収まる範囲に設定する。
【００４４】
以上の処理により、入力信号のフォーマット特定を誤り、特定したフォーマットの水平バックポーチ期間が実際の水平バックポーチ期間より長くなっている場合でも、実際の入力信号の水平バックポーチ期間を測定することで、適切なバックポーチ期間を設定できる。これにより、クランプ期間が有効期間にかかってしまうことを抑制できる。
一方、入力画像の水平バックポーチ期間に黒レベル（基準レベル）の信号が存在することにより、有効期間開始位置を誤検出するケースでも、クランプ期間は特定したフォーマットの水平バックポーチ期間より長い期間には設定されない。これにより、クランプ期間が有効期間にかかってしまうことを抑制できる。
【００４５】
なお、実施例１では、画像信号の入力検出時、または、画像信号の信号タイミング変更時に、クランプ期間の決定を行う例を説明したが、クランプ期間を決定する時期はこれに限らない。例えば制御部１０１が定期的に水平有効期間開始位置情報を画像処理部１１７から取得し、変化を検出した時にクランプ期間の決定フローに基づいてクランプ期間を再び決定しても良い。
【００４６】
以上、本発明の好ましい実施形態について説明したが、本発明はこれらの実施形態に限定されず、その要旨の範囲内で種々の変形及び変更が可能である。例えば、本発明をプロジェクタに限らず、液晶表示装置、ＣＲＴ（Cathode Ray Tube）、ＭＥＭＳ（Micro Electro Mechanical Systems）ディスプレイ等にも適用可能である。また、本発明は、画像表示装置に限らず、アナログ入力信号に対するクランプ処理及び当該クランプ処理を行う画像処理装置全般に適用可能である。
【符号の説明】
【００４７】
１０１：制御部、１１１：Ａ／Ｄ変換部、１１７：画像処理部
【図１】
2015125294.tif 000003
【図２】
2015125294.tif 000004
【図３】
2015125294.tif 000005
【図４】
2015125294.tif 000006
【図５】
2015125294.tif 000007